(57)【要約】【課題】  紙幣カセットの交換作業時であっても自動取引装置が取引を行うことができる貨幣取扱装置を提供する。【解決手段】  装置外に取り出し自在に設けられた紙幣カセット５を複数備えた紙幣入出金部２において、紙幣カセット５が取り出されるときに、少なくとも１個の紙幣カセット５が紙幣入出金部２内に留まる位置で紙幣カセット５の取り出しを停止するロック機構１０を備える。また紙幣入出金部２には取り出し時に紙幣入出金部２内に留まる万円券カセット５ａに接続される、紙幣の補助搬送路１２が形成されている。【選択図】  図１
2007109076.tif 000002
【特許請求の範囲】
【請求項１】
装置外に取り出し自在に設けられた金庫を複数備えた貨幣取扱装置において、
前記金庫が取り出される時に、少なくとも１個の金庫が装置内に留まる位置で前記金庫の取り出しを停止するロック機構を備えたことを特徴とする貨幣取扱装置。
【請求項２】
前記取り出し時に装置内に留まる金庫に接続される、貨幣の搬送路が形成された請求項１記載の貨幣取扱装置。
【発明の詳細な説明】
【技術分野】
【０００１】
本発明は、装置外に取り出し自在に設けられた金庫を複数備えた貨幣取扱装置に関する。
【背景技術】
【０００２】
従来、入出金ユニットが着脱可能となっており、保守面側に引き出すことができるようになっている紙幣入出金装置がある（例えば、特許文献１参照。）。
【０００３】
このような紙幣入出金装置として、着脱自在となっている紙幣カセットを複数備えている装置があり、これらの紙幣カセットはスライド自在に設けられた下部フレームに搭載されており、紙幣カセットを交換するために紙幣入出金装置から取り出す場合には下部フレームに設けられている取手をオペレータが持ち、紙幣カセットを下部フレームと共に紙幣入出金装置外部へと引き出し、更に紙幣カセットを上方に引き抜くことで紙幣入出金装置から取り出している。
【特許文献１】特開平９−０９２３８９号公報
【発明の開示】
【発明が解決しようとする課題】
【０００４】
上記従来の紙幣入出金装置においては、紙幣カセットの交換作業時には全ての紙幣カセットを紙幣入出金装置から取り出してしまうので紙幣入出金装置に紙幣カセットが存在していない状態となっている。従って入金、及び出金取引を行うことができず、自動取引装置は「取引停止」となってしまうという問題点があった。
【課題を解決するための手段】
【０００５】
上記課題を解決するために本発明で設けた解決手段は、装置外に取り出し自在に設けられた金庫を複数備えた貨幣取扱装置において、前記金庫が取り出される時に、少なくとも１個の金庫が装置内に留まる位置で前記金庫の取り出しを停止するロック機構を備えたものである。
【発明の効果】
【０００６】
本発明によれば、金庫が取り出される時に、ロック機構により少なくとも１個の金庫が装置内に留まる位置で金庫の取り出しを停止させるので、金庫の交換作業時に少なくとも１個の金庫が貨幣取扱装置内に存在していることになる。従って、金庫の交換作業時であっても入金、及び出金取引を行うことができ、自動取引装置が「取引停止」となることを防ぐことができる。
【発明を実施するための最良の形態】
【０００７】
以下、本発明の実施の形態を図面に従って説明する。なお、各図面に共通する要素には同一の符号を付す。
【０００８】
始めに自動取引装置の構成について説明する。図１、図２は実施の形態の紙幣入出金部の構成を示す説明図、図３は実施の形態のロック機構の構成を示す説明図である。
【０００９】
図１、図２において、自動取引装置１には、貨幣取扱装置である紙幣入出金部２と、後述する顧客操作部と、主制御部と、図示せぬ硬貨入出金部と、カード処理部と、通帳記帳部と、明細票処理部と、音声案内部と、電源部と、接近検知器と、記憶部と、インターフェース部とが設けられている。なお、主制御部は、前記紙幣入出金部２と、顧客操作部と、硬貨入出金部と、カード処理部と、通帳記帳部と、明細票処理部と、音声案内部と、電源部と、接近検知器と、記憶部と、インターフェース部と接続されており、各部を制御している。
【００１０】
紙幣入出金部２には、前面上部に接客ユニット４が設けられている。この接客ユニット４は、顧客に対して紙幣を排出する、あるいは顧客から投入される紙幣を受け入れるユニットであり、外部から受け入れる紙幣、及び顧客へと受け渡す紙幣が集積されるプール部１１と、該プール部１１を外部から遮断する図示せぬシャッタが設けられている。
【００１１】
紙幣入出金部２の底部には、金種別に紙幣を貯留する金種別金庫である紙幣カセット５が複数（本実施例では５個）設けられており、接客ユニット４から紙幣カセット５（５ａ、５ｂ、５ｃ、５ｄ、５ｅ）まで、紙幣が搬送される搬送路６が形成されている。搬送路６は紙幣を搬送する図示せぬローラと搬送ベルトにより構成されており、接客ユニット４と紙幣カセット５との間の搬送路６には、紙幣を一時的に集積する一時保留部７と、送り込まれた紙幣の真偽、正損、表裏、２枚以上の重なり、及び斜行等を鑑別、検知する鑑別部８が設けられている。
【００１２】
なお、本実施例では紙幣カセットとして、万円券を貯留する万円券カセット５ａ、５ｂ、５ｃと、千円券を貯留する千円券カセット５ｄと、五千円券、及び出金に適さない紙幣等を収納するリジェクトカセット５ｅがそれぞれ設けられている。
【００１３】
万円券カセット５ａ、５ｂ、５ｃ、千円券カセット５ｄ、リジェクトカセット５ｅは下部フレーム９に搭載されており、該下部フレーム９は図示せぬレールに沿って矢印Ｃ−Ｄ方向にスライド自在となっている。また下部フレーム９には図示せぬ取手が設けられている。これにより図２に示すように、紙幣カセット５は下部フレーム９の移動に伴い紙幣入出金部２に対して出し入れ自在となっている。なお、下部フレーム９を紙幣入出金部２から引き出す方向にスライドさせたとき、万円券カセット５ａのみが紙幣入出金部２内部に残る位置で下部フレーム９は後述するロック機構１０により移動が停止される。
【００１４】
また、紙幣入出金部２には搬送路６に接続して補助搬送路１２が形成されており、該補助搬送路１２は下部フレーム９が引き出され万円券カセット５ａが図２に示す位置に位置付けられた時に万円券カセット５ａに接続される。そして搬送路６を搬送されてきた紙幣をブレードの切り替えにより補助搬送路１２へと搬送させることで図２に示す位置に位置付けられている万円券カセット５ａに収納させることができ、また万円券カセット５ａから繰り出した紙幣を搬送路６へと搬送させることができる。
【００１５】
下部フレーム９には発光素子と受光素子とから構成されるフック検知センサ１３が設けられており、図３に示すように該フック検知センサ１３の近傍にはスリット１４が形成されている。また紙幣入出金部２内部後方であって、且つ下部フレーム９の更に下方にはロック機構１０が設けられている。なお、このロック機構１０は、紙幣入出金部２の図示せぬフレームに回動自在に設けられているフック１７と、一端部が該フック１７に取り付けられ、他端部が紙幣入出金部２の図示せぬフレームに取り付けられ、フック１７を矢印Ｅ方向に付勢するスプリング１８と、フック１７の略中央部にリンク１６の一端部が取付けられているマグネット１５とから構成されている。なお、図３に示すようにフック１７はスプリング１８の付勢力により矢印Ｅ方向に付勢されているが、上部１７ｂが下部フレーム９に当接することで回動が規制されている。
【００１６】
次に上記構成の自動取引装置１の制御系について説明する。図４は実施の形態の自動取引装置の制御系を示すブロック図である。
【００１７】
図４において、主制御部３には紙幣入出金部２、及び顧客操作部１９が接続されている。そして紙幣入出金部２の制御部２０にはフック検知センサ１３、及びマグネット１５が接続されており、フック１７の状態に応じてフック検知センサ１３から制御部２０に送信される情報が変化する。また制御部２０はマグネット１５に通電することによりフック１７の位置を変えることができる。顧客操作部１９の制御部２１には表示画面２２が接続されており、表示画面２２には図示せぬ記憶部から所定の画面が読み出され表示される。
【００１８】
次に上記構成における紙幣入出金部２の紙幣カセット５が引き出されるときの下部フレーム９とロック機構１０の動作について説明する。図５は実施の形態のロック機構の構成を示す説明図である。なお、万円券カセット５ｂ、５ｃ、千円券カセット５ｄ、リジェクトカセット５ｅが紙幣入出金部２内部に存在するときには、フック１７は、フック１７上に位置する下部フレーム９に当接し、回動が規制されている。
【００１９】
図１において、オペレータが紙幣カセット５を引き出す場合には下部フレーム９に設けられた取手を持ち、矢印Ｃ方向に引き出す。下部フレーム９が引き出されて矢印Ｃ方向に移動し、図２に示すように万円券カセット５ａが補助搬送路１２と接続される位置まで移動してくると、図５に示すように下部フレーム９のスリット１４がフック１７に対向する位置に位置付けられスプリング１８の付勢力によりフック１７は支点１７ａを中心として矢印Ａ方向に回動して立ち上がり、上部１７ｂがスリット１４に入り込み端部に引っ掛かる。これにより下部フレーム９はフック１７により位置が固定され、ロック状態となる。またフック１７の上部１７ｂがフック検知センサ１３の発光素子と受光素子の間に入り込み発光素子からの光を遮断するので受光素子が受光しなくなる。従ってフック検知センサ１３から紙幣入出金部２の制御部２０に送信される出力が受光素子が受光していないことを示す情報に変化し、制御部２０はこの出力の変化により万円券カセット５ａが補助搬送路１２に接続されたことを認識し、主制御部３に対して万円券カセット５ａが補助搬送路１２に接続されたことを示す信号を送信する。
【００２０】
紙幣入出金部２内部に存在している紙幣カセットは万円券の紙幣を収納した万円券カセット５ａのみなので、主制御部３はこの万円券カセット５ａが補助搬送路１２に接続されたことを示す信号を受信すると、顧客操作部１９に対して紙幣の出金は１万円単位で行われることを表示させる指示を送信する。顧客操作部１９はこの指示を受信すると、表示画面２２に「紙幣は１万円札での出金のみ可能となっております。紙幣の出金は１万円単位でご入力ください。」と表示させる。また、紙幣入出金部２は入金取引時に入金された紙幣は全て万円券カセット５ａに搬送させて収納し、また出金取引時においても出金用の紙幣は全て万円券カセット５ａから繰り出し、千円券は出金せず、万円券のみ出金する制御に切り替える。
【００２１】
次に万円券カセット５ｂ、５ｃ、千円券カセット５ｄ、リジェクトカセット５ｅが紙幣入出金部２外部に取り出され、万円券カセット５ａのみが紙幣入出金部２内部に存在する状態での入金取引時の紙幣入出金部２の動作について説明する。
【００２２】
自動取引装置１で取引を行おうとする顧客が、自動取引装置１の顧客操作部に表示されている顧客誘導画面の中から「ご入金」を選択すると、主制御部３は入金取引処理を実行する。従って、主制御部３は通帳の挿入案内とＩＤカードの挿入案内を行う。これに従って顧客はＩＤカードをカード処理装置のカード挿入排出口に挿入する。カード処理部ではＩＤカードから口座番号を読み取り、主制御部３に送信する。主制御部３は図示せぬインターフェース部と通信回線を介してホストコンピュータに所定の問い合わせを行う。
【００２３】
ホストコンピュータは問題の有無を確認する。そして問題が無く入金可能であれば、取引を了解することを示す信号を通信回線とインターフェース部を介して自動取引装置１へと送信する。そして主制御部３は取引を了解することを示す信号を受信すると、紙幣入出金部２に対して紙幣受け入れの指示を行う。
【００２４】
これを受けて紙幣入出金部２の制御部２０は図示せぬモータを駆動して接客ユニット４に設けられた図示せぬシャツターを開き、紙幣がプール部１１内に投入されるのを待つ。顧客により紙幣が投入されたことがプール部１１に設けられた図示せぬ検知センサにより検知されると、制御部２０はシャッターを閉じる。そして制御部２０は図示せぬ繰出しローラと、搬送路６に複数設けられた搬送ローラ対を回転させて紙幣を１枚ずつ搬送路６へと繰出し、搬送路６を鑑別部８へと搬送させる。
【００２５】
鑑別部８は紙幣の真偽、正損、表裏、２枚以上の重なり、及び斜行等を鑑別する。そして鑑別部８で偽券、搬送異常券と判定した紙幣があった場合、鑑別部８は制御部２０に対して今回鑑別した紙幣は偽券、あるいは搬送異常券であることを示すデータを送信する。
【００２６】
制御部２０は、鑑別部８から今回鑑別した紙幣は偽券、あるいは搬送異常券であることを示すデータを受信するとその紙幣をプール部１１に戻すための搬送制御を行い、プール部１１へと紙幣を搬送する。
【００２７】
このようにして偽券、あるいは搬送異常券と判断された紙幣がプール部１１へと戻されると、紙幣入出金部２は主制御部３に対して顧客に返却する紙幣があることを示すデータを送信する。主制御部３はこのデータを受信すると顧客操作部１９の表示画面２２に入金不可能な紙幣を返却することを表示させる。また紙幣入出金部２の制御部２０は図示せぬモータを駆動して接客ユニット４に設けられた図示せぬシャツターを開き、紙幣が受け取られるのを待つ。制御部２０は顧客により紙幣が受け取られたことをプール部１１に設けられた図示せぬ紙幣検知センサから受信する信号の変化により認識すると、図示せぬモータを駆動してシャッターを閉じる。
【００２８】
一方、鑑別部８で真券と判断された紙幣は一時保留部７へと搬送する。そして顧客により投入された紙幣の入金計数処理が完了すると、紙幣入出金部２は主制御部３に入金計数終了のレスポンスと金種別に正券として計数した枚数を送信する。主制御部３はこのデータを受信すると、図示せぬ記憶部に記憶し、顧客操作部１９の表示画面２２に入金金額を表示させる。
【００２９】
ここで顧客が顧客操作部１９に設けられた表示画面２２に表示されている入金金額を確認し、取消キーを押下すると、主制御部３の指示により紙幣入出金部２の制御部２０は一時保留部７に設けられた図示せぬ繰出しローラと、搬送路６に複数設けられた搬送ローラ対を回転させて紙幣を１枚ずつ搬送路６へと繰出し、搬送路６をプール部１１へと搬送させる。更に制御部２０は図示せぬモータを駆動してプール部１１に設けられた図示せぬシャッターを開き、紙幣が受け取られるのを待つ。制御部２０は顧客により紙幣が受け取られたことをプール部１１に設けられた図示せぬ紙幣検知センサから受信する信号の変化により認識すると、図示せぬモータを駆動してシャッターを閉じる。一方、顧客が確認キーを押下すると、制御部２０は一時保留部７に設けられた図示せぬ繰出しローラと、搬送路６に複数設けられた搬送ローラ対、及び補助搬送路１２に複数設けられた搬送ローラ対を回転させて紙幣を１枚ずつ搬送路６へと繰出し、金種に関わらず全ての紙幣を搬送路６から補助搬送路１２を介して万円券カセット５ａへと搬送し、収納する。なお、この万円券カセット５ａには真券であって出金不可能券と鑑別された紙幣もまた収納される。
【００３０】
また主制御部３はＩＤカードの排出を行わせる。従って、カード処理部はＩＤカードのカード挿入排出口への移動を行い、取引内容を印字した明細票と共にＩＤカードの排出を行う。これにより、顧客はＩＤカードを自動取引装置１から受け取る。これで今回の取引は終了となる。なお、図示せぬ記憶部に記憶された入金金額は口座番号と共にインターフェース部と通信回線を介してホストコンピュータに送信される。
【００３１】
次に万円券カセット５ｂ、５ｃ、千円券カセット５ｄ、リジェクトカセット５ｅが紙幣入出金部２外部に取り出され、万円券カセット５ａのみが紙幣入出金部２内部に存在する状態での出金取引時の紙幣入出金部２の動作について図１、図２、図３、図４、図５、図６を参照し、図７に示すフローチャートに従って説明する。図６は実施の形態のロック機構の構成を示す説明図、図７は実施の形態の紙幣入出金部の動作を示すフローチャートである。なお、上記に示すように紙幣入出金部２内部に存在している紙幣カセットは万円券が収納された万円券カセット５ａのみなので、顧客操作部１９に設けられた表示画面２２には「紙幣は１万円札のみ出金可能となっております。紙幣の出金は１万円単位でご入力ください。」と表示されている。
【００３２】
自動取引装置１で取引を行おうとする顧客が、自動取引装置１の顧客操作部１９に表示されている顧客誘導画面の中から「ご出金」を選択すると、主制御部３は出金取引処理を実行する。従って、主制御部３は通帳の挿入案内とＩＤカードの挿入案内を行う。これに従って顧客はＩＤカードをカード処理装置のカード挿入排出口に挿入する。そしてカード処理部ではＩＤカードから口座番号を読み取る。続いて暗証番号の入力案内と、出金金額の入力案内が行われ、これに従って顧客が顧客操作部１９から暗証番号、及び出金金額を入力すると、出金取引が行われることと、ＩＤカードから読み取った口座番号と、暗証番号と、出金金額がインタフェース部と通信回線を介してホストコンピュータへ送られて、出金に必要な処理と本人確認が行われる。
【００３３】
ホストコンピュータは暗証番号の照会により取引を行おうとする顧客が取引口座の所有者本人であることを確認し、また取引口座の残高の照会と出金に必要な処理を行うと、取引を了解することを示す信号を通信回線とインターフェース部を介して自動取引装置１へと送信する。そして主制御部３は取引を了解することを示す信号を受信すると、紙幣入出金部２に対して出金の指示を行う。
【００３４】
これを受けて、ステップＳ１で紙幣入出金部２の制御部２０は指示された金額分の紙幣を万円券カセット５ａから繰り出させると共に、搬送路６、及び補助搬送路１２に複数設けられた搬送ローラ対を回転させて紙幣を１枚ずつ補助搬送路１２を介して搬送路６に搬送し、鑑別部８へと搬送させる。
【００３５】
ステップＳ２で鑑別部８は紙幣の真偽、正損、表裏、２枚以上の重なり、及び斜行等を鑑別する。そしてステップＳ３で鑑別の結果に基づき判断を行う。すなわち、鑑別した紙幣が万円券であり、且つ出金可能紙幣であると判定した場合にはステップＳ３からステップＳ４へと進み、一方「否」、すなわち鑑別の結果、鑑別した紙幣が千円券、五千円券、あるいは搬送異常券等、出金不可能な紙幣であると判定した場合にはステップＳ１１へと進む。なお、ステップＳ１１へと進んだ場合、制御部２０は図示せぬブレードの切り替えを行い紙幣を一時保留部７に搬送するための搬送制御を行い、一時保留部７へと紙幣を搬送し、集積する。そしてステップＳ１へと戻る。
【００３６】
なお、万円券カセット５ａのみが紙幣入出金部２内部に存在する状態では千円券、あるいは五千円券が入金されると万円券を収納する万円券カセット５ａに千円券、及び五千円券も合わせて収納するので、その際に収納された千円券、あるいは五千円券が万円券カセット５ａから繰り出される可能性があり、その場合には鑑別部８で金種確認を行った際に千円券、あるいは五千円券と判定される。
【００３７】
上記ステップＳ３からステップＳ４に進んだ場合、制御部２０は図示せぬカウンタのカウント値を１アップする。すなわち制御部２０は鑑別部８が鑑別した紙幣が出金可能な万円券であると判断するとカウント値を１アップする。ステップＳ５で制御部２０は出金可能な万円券をプール部１１へと搬送させる搬送制御を行い、紙幣をプール部１１に集積させる。またステップＳ６で制御部２０は、前記ステップＳ４でカウントしたカウント値に基づき、出金金額分の紙幣が万円券カセット５ａから繰り出されたか否かを判断し、繰り出されたと判断した場合にはステップＳ７へと進み、一方「否」の場合にはステップＳ１へと戻る。
【００３８】
ステップＳ６からステップＳ７へと進んだ場合、制御部２０は万円券カセット５ａからの紙幣の繰り出しを停止させ、またステップＳ８で制御部２０はプール部１１に出金金額分の紙幣が集積されたことを確認後、図示せぬモータを駆動して接客ユニット４に設けられた図示せぬシャッターを開き、紙幣を排出する。これにより顧客は紙幣を受け取る。
【００３９】
なお、ステップＳ７で紙幣入出金部２のシャッターを開く前に主制御部３はＩＤカードの排出を行わせる。従って、カード処理部はＩＤカードのカード挿入排出口への移動を行い、取引内容を印字した明細票と共にＩＤカードの排出を行う。これにより顧客はＩＤカードを自動取引装置１から受け取る。続いてステップＳ９で制御部２０は一時保留部７に紙幣が集積されているか否かを判断する。そして一時保留部７に紙幣が集積されていると判断した場合にはステップＳ１０へと進み、一方「否」の場合にはこれで処理は終了となる。なお、ステップＳ１０に進んだ場合、制御部２０は一時保留部７から紙幣を１枚ずつ繰り出させて再び万円券カセット５ａへと戻す搬送制御を行う。これにより一時保留部７上に紙幣が無い状態に戻す。そして全ての処理を終了とする。
【００４０】
なお、紙幣入出金部２内部に全ての紙幣カセット５（５ａ、５ｂ，５ｃ、５ｄ、５ｅ）を戻す場合、あるいは万円券カセット５ａを紙幣入出金部２外部に取り出す場合には、オペレータが自動取引装置１に対して紙幣入出金部２内部に紙幣カセット５を戻す、あるいは万円券カセット５ａを紙幣入出金部２外部に取り出すことを図示せぬ係員操作部から入力する。これらの指示は主制御部３に送信され、主制御部３は紙幣入出金部２に対してロック解除の指示を送信する。この指示を受けて紙幣入出金部２の制御部２０はマグネット１５を通電する。この通電によりリンク１６が図５に示す矢印Ｆ方向に移動し、該リンク１６に引っ張られてフック１７がスプリング１８の付勢力に抗して支点１７ａを中心として矢印Ｂ方向に回動し、フック１７はスリット１４から抜けて下部フレーム９の下側まで移動する。
【００４１】
これにより下部フレーム９はロック状態が解除されるので下部フレーム９に設けられている取手をオペレータが持ち、紙幣入出金部２内部へと押すことで下部フレーム９と共に全ての紙幣カセット５を紙幣入出金部２内部に戻すことができる。あるいは下部フレーム９のロック状態が解除されることで下部フレーム９に設けられている取手をオペレータが持ち、下部フレーム９を更に紙幣入手部金部２外部へと引き出すことで万円券カセット５ａを下部フレーム９と共に紙幣入出金部２外部へと引き出すことができ、更に万円券カセット５ａを上方に引き抜くことで紙幣入出金部２外部へと取り出すことができる。
【００４２】
なお、フック１７がスリット１４の端部に引っ掛かっていた状態から外れると、フック１７の上部１７ｂはフック検知センサ１３からも外れ、発光素子からの光を受光素子が受光する状態となる。従ってフック検知センサ１３から紙幣入出金部２の制御部２０に送信される出力が受光素子が受光していることを示す情報に変化する。制御部２０はこの出力の変化により下部フレーム９のロックが解除されたことを認識し、主制御部３に下部フレーム９のロックが解除されたことを示す信号を送信する。
【００４３】
主制御部３はこの下部フレーム９のロックが解除されたことを示す信号を受信し、且つ下部フレーム９が紙幣入出金部２内部に戻されることで紙幣入出金部２の前方に設けられた図示せぬ下部フレーム検知センサが下部フレーム９を検知したことを示す情報を紙幣入出金部２の制御部２０から受信すると、下部フレーム９、及び全ての紙幣カセット５が紙幣入出金部２内部に完全に戻されたことを認識する。すると主制御部３は紙幣入出金部２に対して通電停止の指示を送信する。この指示を受けて紙幣入出金部２の制御部２０はマグネット１５への通電を停止する。なお、この状態では通電が停止されてもフック１７は上部１７ｂが、図３に示すようにフック１７上に位置する下部フレーム９に当接し、回動は規制される。
【００４４】
また、主制御部３は紙幣入出金部２の制御部２０から下部フレーム９のロックが解除されたことを示す信号を受信し、且つ紙幣入出金部２の前方に設けられた図示せぬ下部フレーム検知センサが下部フレーム９を検知したことを示す情報を受信すると、顧客操作部１９に対して表示画面２２に表示されている情報（「紙幣は１万円札での出金のみ可能となっております。紙幣の出金は１万円単位でご入力ください。」）の表示を停止し、通常の取引画面を表示させる指示を送信する。顧客操作部１９はこの指示を受信すると、表示画面２２に通常の取引画面を表示させる。更に主制御部３は、入金取引時に入金された紙幣を金種別に万円券カセット５ａ、５ｂ、５ｃ、千円券カセット５ｄ、リジェクトカセット５ｅに収納し、また出金取引時に万円券と千円券の両方の紙幣を出金する制御に切り替える指示を紙幣入出金部２に送信する。
【００４５】
一方、主制御部３は下部フレーム９のロックが解除されたことを示す信号を受信し、且つ下部フレーム９が図６に示すように更に紙幣入出金部２外部に引き出されることで紙幣入出金部２の後方に設けられた図示せぬ下部フレーム検知センサが下部フレーム９を検知しなくなったことを示す情報を紙幣入出金部２の制御部２０から受信すると、万円券カセット５ａを外部に取り出すことが可能な位置まで下部フレーム９が更に引き出されたことを認識する。すると主制御部３は顧客操作部１９に対して「取引停止」を表示させる指示を送信する。顧客操作部１９はこの指示を受信すると、表示画面２２に「取引停止」を表示させる。なお、この状態では主制御部３は紙幣入出金部２に対してマグネット１５への通電停止の指示を送信しない。これにより、オペレータが紙幣入出金部２内部に戻すために下部フレーム９を図６に示す位置から矢印Ｄ方向に移動させ、下部フレーム９のスリット１４がフック１７に対向する位置に位置付けられた時に、フック１７の上部１７ｂがスリット１４に入り込むことを防止することができる。
【００４６】
なお、本実施の形態においては、紙幣カセット５の取り出し時に万円券カセット５ａのみ紙幣入出金部２内部に残す構造としているが、下部フレーム９のスリット１４とフック検知センサ１３の数を増加することにより、複数の紙幣カセットを紙幣入出金部２内部に残すことができる。そしてこのような構成とすれば、紙幣カセットの交換作業時に行われる出金取引において、万円券と千円券の両方の金種の出金を行うことが可能となる。
【００４７】
また、本実施の形態においては、ロック機構１０を紙幣入出金部２に設けたが、硬貨入出金部にロック機構１０を設ければ、硬貨カセットにも適用することができる。
【００４８】
以上本発明の実施の形態においては、紙幣カセット５が取り出される時に、ロック機構１０により少なくとも１個の紙幣カセット５が紙幣入出金部２内に留まる位置で紙幣カセット５の取り出しを停止させるので、紙幣カセット５の交換作業時に少なくとも１個の紙幣カセット５が紙幣入出金部２内に存在していることになる。従って、紙幣カセット５の交換作業時であっても入金、及び出金取引を行うことができ、自動取引装置１が「取引停止」となることを防ぐことができる。
【図面の簡単な説明】
【００４９】
【図１】実施の形態の紙幣入出金部の構成を示す説明図である。
【図２】実施の形態の紙幣入出金部の構成を示す説明図である。
【図３】実施の形態のロック機構の構成を示す説明図である。
【図４】実施の形態の自動取引装置の制御系を示すブロック図である。
【図５】実施の形態のロック機構の構成を示す説明図である。
【図６】実施の形態のロック機構の構成を示す説明図である。
【図７】実施の形態の紙幣入出金部の動作を示すフローチャートである。
【符号の説明】
【００５０】
２  紙幣入出金部
５  紙幣カセット
１０  ロック機構
１２  補助搬送路
【図１】
2007109076.tif 000003
【図２】
2007109076.tif 000004
【図３】
2007109076.tif 000005
【図４】
2007109076.tif 000006
【図５】
2007109076.tif 000007
【図６】
2007109076.tif 000008
【図７】
2007109076.tif 000009